(57)【要約】 【課題】一つの固定部材の移動によって複数の部材の固定状態を切り替え可能とし、且つ特別な道具を用いずに誰もが簡単に遊技機に固定された複数の部材の交換をできるようにし、更に複数の部材のうちの１つを固定しつつ、１つを交換可能にする。【解決手段】遊技機を構成する第１の特定部材及び第２の特定部材と、第１の特定部材を支持する支持部材と、第１の特定部材と支持部材の、第２の特定部材に対する固定状態を制御すべく、遊技機に対して変位可能に取り付けられた固定部材と、固定部材を、少なくとも第１の特定部材と支持部材とを着脱不能とする第１の位置、または、第１の特定部材を着脱可能とし支持部材を着脱不能とする第２の位置に駐止する駐止手段を有する構成を採用した。【選択図】図１０
2010167122.tif 000002
【特許請求の範囲】
【請求項１】
遊技機を構成する第１の特定部材及び第２の特定部材と、
前記第１の特定部材を支持する支持部材と、
前記第１の特定部材と前記支持部材の、前記第２の特定部材に対する固定状態を制御すべく、
遊技機に対して変位可能に取り付けられた固定部材と、
前記固定部材を、
少なくとも前記第１の特定部材と前記支持部材とを着脱不能とする第１の位置、
または、
前記第１の特定部材を着脱可能とし前記支持部材を着脱不能とする第２の位置に駐止する駐止手段を有することを特徴とする遊技機。
【請求項２】
前記第１の特定部材は遊技機を装飾する装飾パネルであり、
前記第２の特定部材は装飾パネル保持部を有し、
遊技機本体に開閉可能に取り付けられる扉体であり、
前記支持部材は前記装飾パネルを前記装飾パネル保持部に押圧固定する装飾パネル装着部材であり、
前記固定部材は、
前記第１の位置で前記装飾パネル装着部材に対して押圧力を加え前記装飾パネル装着部材を押圧固定する装飾パネル装着部材押圧部と、
前記第２の位置で前記装飾パネル装着部材の移動を接触により規制する装飾パネル装着部材規制部と、
を有することを特徴とする請求項１に記載の遊技機。
【請求項３】
前記固定部材の前記装飾パネル装着部材押圧部は、
前記装飾パネル装着部材規制部よりも前記扉体の方向に突出して設けられていることを特徴とする請求項２に記載の遊技機。
【請求項４】
前記固定部材が前記扉体に回動可能に軸支され、前記駐止手段は、前記固定部材を凹凸部の嵌合を介して前記第１の位置または前記第２の位置に駐止することを特徴とする請求項２に記載の遊技機。
【請求項５】
前記装飾パネル装着部材は、前記固定部材に対応した形状の固定部材受け入れ部を有することを特徴する請求項４に記載の遊技機。
【請求項６】
前記固定部材は該固定部材を変位させる操作力を受容する操作部を有し、前記操作部は、前記固定部材が前記第１の位置にある時、前記装飾パネル装着部材と接触して前記装飾パネル装着部材を支持し、また、前記扉体に設けられた固定部材移動規制部と接触することによって、前記固定部材の移動範囲が規制されることを特徴する請求項４に記載の遊技機。
【請求項７】
前記固定部材の前記凸部近傍に、該凸部近傍を外力によって変形させるための開口部を設けたことを特徴とする請求項４に記載の遊技機。
【請求項８】
前記固定部材は、前記装飾パネル装着部材押圧部と前記装飾パネル装着部材規制部との間に傾斜部を備えたことを特徴とする請求項２乃至請求項７に記載の遊技機。
【請求項９】
前記装飾パネル保持部は、前記固定部材が前記装飾パネル装着部材押圧部の前記装飾パネル装着部材に対する押圧力が解除される前記第２の位置にある時に、前記押圧力の方向とは異なる方向に前記装飾パネルを挿脱可能な開口部を有することを特徴とする請求項２乃至８に記載の遊技機。
【請求項１０】
複数種類の役の内部当選の当否を抽選により判定する抽選手段と、
抽選手段の抽選結果に基づいてリールの回転の停止に関する停止制御を行うリール停止制御手段と、
抽選手段の抽選結果に基づいて停止されたリールによって表示される図柄組合せが内部当選した役に対応して予め定めた図柄組合せであるか否かの判定をする判定手段と、
図柄の停止態様が所定の入賞態様である場合所定の入賞態様に対応する遊技媒体を払出す遊技媒体払出処理を行う払出制御手段を備えたスロットマシンとして構成されることを特徴とする請求項１乃至９のいずれか１項に記載の遊技機。
【発明の詳細な説明】
【技術分野】
【０００１】
本発明は、遊技機、特に遊技機を装飾する装飾パネルを有する遊技機に関するものである。
【背景技術】
【０００２】
従来の遊技機のパネルは、扉体に設けられたパネル保持部にパネルを嵌め込み、その背面からパネルを押圧固定するパネル装着部材を被せ、ネジ等の締結部材によってパネル装着部材を押圧固定する固定部材を取り付けることでパネルとパネル装着部材の両方の固定を行っていた。
【先行技術文献】
【特許文献】
【０００３】
【特許文献１】特開２００５−２１８７６６号公報
【特許文献２】特開平９−２７６５０７号公報
【発明の概要】
【発明が解決しようとする課題】
【０００４】
従来の遊技機では、パネルを上述のような構成で取り付けていたため、例えばパネルを交換する際にはドライバー等の工具によって締結部材を取外し、固定部材による押圧固定を解除することでパネル装着部材を取り外す必要があった。パネル装着部材による押圧固定が解除されるとパネルをパネル保持部に支持する力が無くなるため、パネル装着部材を外した際にパネルが落下して破損するといった問題があった。
【０００５】
そこで、上述の問題を解決するために遊技機の側方にパネルを挿入可能なスリットを備え、そのスリットからパネルの交換を行う構成が提案されている（上記特許文献１）。このような構成をとることで、パネルの交換作業を行う際にパネルを落として破損するといった問題は解決されるが、遊技機の前面にパネルを抜き差しするための開口部が備えられるため、その開口部から遊技機内部へと異物を挿入される等の不正行為を行われてしまうといった問題が新たに生じてしまう。
【０００６】
一方、近年では、環境保護やコストの削減のために遊技機を構成する部材の多くが複数機種で流用可能に設計されている。しかし装飾パネルにはその機種固有の名称等の装飾が施されているため複数機種への流用が不可能であり、そのため市場から回収した遊技機を次機種へと変更する際に装飾パネルのように流用不可能な部材については交換する必要があった。しかし、上述のように装飾部材は複数の部材の押圧固定による構造の下層に位置するため、固定部材を取り外すためには複数の部材を取り外す必要があった。
【０００７】
このような複数の部材の固定状態を、一つの固定部材の移動によって切り替えるための構成が従来より提案されている（上記特許文献２）。この発明では、一つの固定部材の姿勢によって、固定する部材の数を切り替えることが可能ではあるが、機構板と遊技盤の二つを固定している状態で、下部に位置する遊技盤のみを交換することができず、遊技盤を交換するためには、固定部材の位置を切り替え、一度機構板を外し、更に再度固定部材の位置を切り替えてから遊技盤を外す必要があり、交換作業が非常に煩雑なものとなってしまう問題があった。
【０００８】
本発明の課題は、上記の問題に鑑み、本発明は一つの固定部材の移動によって複数の部材の固定状態を切り替え可能とし、且つ特別な道具を用いずに誰もが簡単に遊技機に固定された複数の部材の交換をできるようにし、更に複数の部材のうちの１つを固定しつつ、１つを交換可能にすることにある。
【課題を解決するための手段】
【０００９】
上記課題を解決するため、本発明においては、遊技機を構成する第１の特定部材及び第２の特定部材と、前記第１の特定部材を支持する支持部材と、前記第１の特定部材と前記支持部材の、前記第２の特定部材に対する固定状態を制御すべく、遊技機に対して変位可能に取り付けられた固定部材と、前記固定部材を、少なくとも前記第１の特定部材と前記支持部材とを着脱不能とする第１の位置、または、前記第１の特定部材を着脱可能とし前記支持部材を着脱不能とする第２の位置に駐止する駐止手段を有する構成を採用した。
【発明の効果】
【００１０】
上記構成によれば、一つの固定部材の移動により複数の部材の固定状態を切り替えつつ、さらに固定部材による固定状態が切り替え可能となる範囲においては固定部材がその位置において一時的に固定（駐止）される構成としたことで、リサイクル等による部品の交換の際に、特別な工具等を用いずに交換作業が可能で、初めて交換作業をする作業員でも、複数の固定状態のうち任意の固定状態を選択することができ、作業効率の向上を望むことが出来る。
【図面の簡単な説明】
【００１１】
【図１】本発明を採用したスロットマシンの全体構成を示した斜視図である。
【図２】図１のスロットマシンの前面扉の背面を示した斜視図である。
【図３】図１のスロットマシンの前面扉の背面図である。
【図４】図１のスロットマシンの前面扉に装飾パネルを装着する構造を示した分解斜視図である。
【図５】図１のスロットマシンの前面扉に装飾パネルおよび装飾パネル装着部材を固定する固定部材の構造を示したもので、（ａ）は装飾パネル装着部材に正対する側から固定部材を示した正面図、（ｂ）は装飾パネル装着部材に正対する側から固定部材を示した斜視図、（ｃ）は装飾パネル装着部材を固定する姿勢で固定部材６０１を示した上面図、（ｄ）は固定部材６０１を右方から示した側面図である。
【図６】図１のスロットマシンの前面扉に装飾パネルおよび装飾パネル装着部材を固定する固定部材の構造を示したもので、（ａ）は固定位置における固定部材を右方から示した側面図、（ｂ）は固定位置における固定部材の背面図である。
【図７】図１のスロットマシンの前面扉に装飾パネルおよび装飾パネル装着部材を固定する固定部材の構造を示したもので、（ａ）は半固定位置における固定部材を左方から示した側面図、（ｂ）は固定位置から半固定位置へ回動中の固定部材の背面図、（ｃ）は半固定位置における固定部材の背面図である。
【図８】図１のスロットマシンの前面扉に装飾パネルおよび装飾パネル装着部材を固定する固定部材の構造を示したもので、（ａ）は開放位置における固定部材を左方から示した側面図、（ｂ）は開放位置における固定部材の背面図である。
【図９】装飾パネルを取り外し、あるいは交換する装飾パネル着脱方法の一例を示したもので、（ａ）〜（ｃ）は装飾パネル２７０とその周囲の構造を示した断面図である。
【図１０】装飾パネルを取り外し、あるいは交換する際の前面扉の状態を示した斜視図である。
【図１１】固定部材の構造につき種々の変形例を示したもので、（ａ）〜（ｄ）は、固定部材の要部の構造を示した模式図、（ｅ）、（ｇ）、（ｉ）はスライド式の固定部材の上面図、（ｆ）、（ｈ）、（ｊ）はスライド式の固定部材の背面図である。
【発明を実施するための形態】
【００１２】
以下、図面を用いて、本発明を実施するための最良の形態の一例として、スロットマシンのような遊技機に関する実施例につき詳細に説明する。
【実施例】
【００１３】
＜スロットマシンの全体構成＞
まず、図１を用いて、本実施例１に係るスロットマシン１００の全体構成について説明する。なお、同図はスロットマシン１００の外観斜視図を示したものである。
【００１４】
スロットマシン１００は、略箱状の本体１０１と、この本体１０１の前面開口部に取り付けられた前面扉１０２とを有して構成されている。スロットマシン１００の本体１０１の中央内部には、外周面に複数種類の図柄が所定コマ数だけ配置されたリールが３個（左リール１１０、中リール１１１、右リール１１２）収納され、スロットマシン１００の内部で回転できるように構成されている。各図柄は帯状部材に等間隔で適当数印刷され、この帯状部材が所定の円形枠材に貼り付けられて各リール１１０〜１１２が構成されている。リール１１０〜１１２上の図柄は、遊技者から見ると、図柄表示窓１１３から縦方向に概ね３つ表示され、合計９つの図柄が見えるようになっている。そして、各リール１１０〜１１２を回転させることにより、遊技者から見える図柄の組み合せが変動することとなる。なお、本実施例１では、３個のリールをスロットマシン１００の中央内部に備えているが、リールの数やリールの設置位置はこれに限定されるものではない。
【００１５】
また、図柄表示窓１１３の外枠には、点滅や点灯などの点灯制御によって、後述する有効ラインや入賞ラインを報知するためのライン表示ＬＥＤ（図示省略）が配置されている。
【００１６】
さらに、スロットマシン１００内部において各々のリール１１０〜１１２の近傍には、投光部と受光部からなる光学式センサ（図示省略）が設けられており、この光学式センサの投光部と受光部の間を、リールに設けられた一定の長さの遮光片が通過するように構成されている。このセンサの検出結果に基づいてリール上の図柄の回転方向の位置を判断し、目的とする図柄が入賞ライン１１４上に表示されるようにリール１１０〜１１２を停止させる。
【００１７】
入賞ライン表示ランプ１２０は、有効となる入賞ラインを示すランプである。有効となる入賞ラインは、スロットマシン１００に投入されたメダルの数によって予め定まっている。５本の入賞ライン１１４のうち、例えば、メダルが１枚投入された場合、中段の水平入賞ラインが有効となり、メダルが２枚投入された場合、上段水平入賞ラインと下段水平入賞ラインが追加された３本が有効となり、メダルが３枚投入された場合、右下り入賞ラインと右上り入賞ラインが追加された５本が入賞ラインとして有効になる。なお、入賞ライン１１４の数については５本に限定されるものではない。
【００１８】
スタートランプ１２１は、リール１１０〜１１２が回転することができる状態にあることを遊技者に知らせるランプである。再遊技ランプ１２２は、前回の遊技において入賞役の一つである再遊技役に入賞した場合に、今回の遊技が再遊技可能であること（メダルの投入が不要であること）を遊技者に知らせるランプである。告知ランプ１２３は、内部抽選において、特定の入賞役（例えば、ＢＢ（ビッグボーナス）やＲＢ（レギュラーボーナス）等のボーナス）に内部当選していることを遊技者に知らせるランプである。メダル投入ランプ１２４は、メダルの投入が可能であることを知らせるランプである。払出枚数表示器１２５は、何らかの入賞役に入賞した結果、遊技者に払出されるメダルの枚数を表示するための表示器である。遊技回数表示器１２６は、メダル投入時のエラー表示や、ビッグボーナスゲーム中（ＢＢゲーム中）の遊技回数、所定の入賞役の入賞回数等を表示するための表示器である。貯留枚数表示器１２７は、スロットマシン１００に電子的に貯留されているメダルの枚数を表示するための表示器である。リールパネルランプ１２８は、演出用のランプである。
【００１９】
メダル投入ボタン１３０、１３１は、スロットマシン１００に電子的に貯留されているメダルを所定の枚数分投入するためのボタンである。本実施例１においては、メダル投入ボタン１３０が押下される毎に１枚ずつ最大３枚まで投入され、メダル投入ボタン１３１が押下されると３枚投入されるようになっている。メダル投入口１３４は、遊技を開始するに当たって遊技者がメダルを投入するための投入口である。すなわち、メダルの投入は、メダル投入ボタン１３０または１３１により電子的に投入することもできるし、メダル投入口１３４から実際のメダルを投入することもできる。精算ボタン１３２は、スロットマシン１００に電子的に貯留されたメダルおよびベットされたメダルを精算し、メダル払出口１５５よりメダル受皿１５６に排出するためのボタンである。メダル返却ボタン１３３は、投入されたメダルが詰まった場合に押下してメダルを取り除くためのボタンである。
【００２０】
スタートレバー１３５は、遊技の開始操作を行うためのレバー型のスイッチである。即ち、メダル投入口１３４に所望する枚数のメダルを投入して、スタートレバー１３５を操作すると、これを契機としてリール１１０〜１１２が回転し、遊技が開始される。ストップボタン１３７〜１３９は、スタートレバー１３５の操作によって回転を開始したリール１１０〜１１２に対する停止操作を行うためのボタンであり、各リール１１０〜１１２に対応して設けられている。そして、いずれかのストップボタン１３７〜１３９を操作すると対応するいずれかのリール１１０〜１１２が停止することになる。
【００２１】
ドアキー孔１４０は、スロットマシン１００の前面扉１０２のロックを解除するためのキーを挿入する孔である。メダル払出口１５５は、メダルを払出すための払出口である。メダル受皿１５６は、メダル払出口１５５から払出されたメダルを溜めるための器である。なお、メダル受皿１５６は、本実施例１では発光可能な受皿を採用している。
【００２２】
上部ランプ１５０、サイドランプ１５１、中央ランプ１５２、腰部ランプ１５３、下部ランプ１５４は、遊技を盛り上げるための装飾用のランプである。演出装置１９０は、例えば開閉自在な扉（シャッター）１６３が前面に取り付けられた液晶表示装置を含み、この演出装置１９０には、例えば小役告知等の各種の情報が表示される。音孔１６０は、スロットマシン１００内部に設けられているスピーカの音を外部に出力するための孔である。タイトルパネル１６２には、スロットマシン１００を装飾するための図柄が描かれる。
【００２３】
本実施例のスロットマシン１００は、遊技媒体としてのメダルの投入、ストップボタン１３７〜１３９の操作などに応じて所定の抽選を行ない、その抽選結果に応じて遊技媒体としてのメダルの払出を行なう制御を不図示の制御回路によって行う。この不図示の制御回路は、主に、複数種類の役の内部当選の当否を抽選により判定する抽選手段と、抽選手段の抽選結果に基づいてリールの回転の停止に関する停止制御を行うリール停止制御手段と、抽選手段の抽選結果に基づいて停止されたリールによって表示される図柄組合せが内部当選した役に対応して予め定めた図柄組合せであるか否かの入賞判定をする判定手段と、図柄の停止態様が所定の入賞態様である場合所定の入賞態様に対応する遊技媒体を払出す遊技媒体払出処理を行う払出制御手段を構成する。
＜前面扉＞
図２および図３は、図１の前面扉１０２の背面側の構成を斜視図、および背面図としてそれぞれ示したものである。
【００２４】
図２および図３に示すように、本体１０１の側板にヒンジ装置を介して蝶着された前面扉１０２には、演出装置２９０、この演出装置を制御する演出制御基板を収納した演出制御基板収納ケース２７４、上部スピーカ２７２、図柄表示窓１１３を有する装飾パネル（リールパネル）２７０、投入されたメダルを選別するためのメダルセレクタ１７０、このメダルセレクタ１７０が不正なメダル等をメダル受皿１５６に落下させる際にメダルが通過する通路２６６等が設けてある。メダルセレクタ１７０は、さらに、投入されたメダルを本体側のメダルタンクに案内する通路４４１を備えている。
【００２５】
装飾パネル２７０（第１の特定部材）は、後述の装飾パネル装着部材６０２（第１の特定部材（装飾パネル２７０）の支持部材）を介して固定部材６０１により前面扉１０２（扉体：第２の特定部材）に装着される。図２および図３では、装飾パネル２７０を覆う固定部材６０１の背面が図示されている。
【００２６】
装飾パネル（第１の特定部材）２７０は、例えば透明のアクリル板等から成型され、その透明板に対して印刷等により模様が施され、印刷が施されていない部分が図柄表示窓１１３として構成される。前述の入賞ライン表示ランプ１２０、払出枚数表示器１２５、遊技回数表示器１２６、貯留枚数表示器１２７などを構成するＬＥＤやＬＣＤなどの表示素子は装飾パネルの背面で、かつ、上記の装飾パネル２７０の印刷に対応した位置に配置される。従って、これらの表示素子は、例えば装飾パネル装着部材（支持部材）に設けることができる。
【００２７】
上記の装飾パネル２７０は、図３に示すように上縁の３個所、および下縁の２個所で、後述する固定部材６０１により前面扉１０２に装着される。
【００２８】
図３の符号６０４、６０４ａ、６０６、６０６ａ、および６０８で示した部材については、次の図４で説明する。
【００２９】
図４は、前面扉１０２に設けられた装飾パネル保持部６０５に対して装飾パネル２７０を取り付け、固定する構造を分解斜視図として示している。
【００３０】
装飾パネル装着部材６０２は、背面側から装飾パネル２７０を固定するとともに、装飾パネル２７０の図柄表示窓１１３の周囲において、装飾パネルを透して遊技者に視認させる例えば入賞ライン表示ランプ１２０、払出枚数表示器１２５、遊技回数表示器１２６、貯留枚数表示器１２７などを構成するＬＥＤやＬＣＤなどの表示素子や、さらにこれら表示素子の駆動回路などを搭載した基板６０８、６０８を含む。装飾パネル装着部材６０２には、この基板６０８、６０８の形状に対応し、基板６０８、６０８を取り付け、保持可能な凹部などの装着部が設けられる。
【００３１】
通常、基板６０８、６０８にはハーネス等の配線が取り付けられているため、従来の構成において、装飾パネル２７０を交換する際には、まず基板６０８、６０８に取り付けられた配線を全て外した上で装飾パネル装着部材６０２のネジ等を外す必要があったが、本実施例の構成であれば、装飾パネル装着部材６０２自体を外す必要が無いため、基板６０８、６０８に接続された配線を外すことなく装飾パネル２７０の交換作業を行うことができ、作業効率を大きく向上させることが可能となる。
【００３２】
装飾パネル装着部材６０２は、装飾パネル２７０とほぼ同等の高さを有し、さらに上縁の３個所、および下縁の２個所に固定部材６０１と係合する半円形状の凹部として構成された固定部材受け入れ部６０３、６０３…を有する。また、装飾パネル装着部材６０２の上縁の２個所、および下縁の２個所には、前面扉１０２の装飾パネル保持部６０５の周囲の対応する位置に設けられた装飾パネル装着部材受け入れ部６０６、６０６…と係合する、半円形状の凸部６０４、６０４…を有する。
【００３３】
５つの固定部材６０１、６０１…は、後述するようにほぼ半円形の外形を有する回転式の固定部材であり、前面扉１０２の背面にビス（あるいはボルト）６０１ａ、６０１ａ…によって軸支される。これら固定部材６０１、６０１…は、回動させることによって、装飾パネル装着部材６０２の固定部材受け入れ部６０３、６０３と係合し、または固定部材受け入れ部６０３、６０３から離脱し、これにより装飾パネル装着部材６０２、さらに装飾パネル２７０をロック（固定）／アンロック（固定解除）する。
【００３４】
装飾パネル２７０および装飾パネル装着部材６０２を前面扉１０２に固定する際には、まず固定部材６０１、６０１…を前面扉１０２にビス（あるいはボルト）６０１ａ、６０１ａ…により軸支、固定しておく。このとき固定部材６０１、６０１…を開放位置（後述の図８の状態）にしておくことで、装飾パネル保持部６０５への装飾パネル２７０および装飾パネル装着部材６０２の取り付け操作を邪魔されずに行うことができる。
【００３５】
装飾パネル２７０を装着するには、装飾パネル２７０を前面扉１０２の背面側から（あるいは後述の図９で説明するように前面扉１０２の前面側からの装着も可能であるが）前面扉１０２の装飾パネル保持部６０５に落し込む。装飾パネル保持部６０５の前方の上下には、後述する図９（あるいは図１０）に示すように２本のレール（リブ）６０７、６０７が形成されており、このレール６０７、６０７により、装飾パネル２７０の前後方向の位置決めが行われる。
【００３６】
さらに、背面側から装飾パネル装着部材６０２を被せるが、この時、装飾パネル装着部材６０２の凸部６０４、６０４と前面扉１０２の装飾パネル装着部材受け入れ部６０６、６０６が係合することによって装飾パネル装着部材６０２が上下左右方向に位置決めされる。
【００３７】
なお、前面扉１０２の装飾パネル装着部材受け入れ部６０６、６０６…は、装飾パネル装着部材６０２のほぼ半円形の凸部６０４、６０４…と係合するほぼ半円形の凹部として示してあるが、例えば、装飾パネル装着部材受け入れ部６０６、６０６に棒状の突起（図３の６０６ａ）を、装飾パネル装着部材６０２の凸部６０４、６０４にその突起に対応する形状の穴（図３の６０４ａ）を設けておくことなどによって、装飾パネル装着部材６０２、および装飾パネル２７０を位置決めしてもよい。
【００３８】
上記のように、背面から装飾パネル２７０を覆い、装飾パネル２７０を前面扉１０２に対して装着する装飾パネル装着部材６０２と、前面扉１０２の間に、装飾パネル装着部材６０２あるいはさらに装飾パネル２７０を前面扉１０２に対して位置決め固定する係合構造（凸部６０４、装飾パネル装着部材受け入れ部６０６、あるいはさらに突起６０６ａおよび穴６０４ａ）を設けておくことによって、より正確に装飾パネル装着部材６０２、および装飾パネル２７０を位置決めすることができる。
【００３９】
しかる後に、固定部材６０１、６０１…を固定位置（後述の図６の状態）に回動させることにより、装飾パネル２７０および装飾パネル装着部材６０２を前面扉１０２に装着することができる。このように、装飾パネル装着部材６０２が装飾パネル２７０を押さえ、これ以上前方には進まないという位置で固定部材６０１を回転させることで、固定部材６０１の装飾パネル装着部材押圧部６１６が装飾パネル装着部材６０２を押圧固定し、その固定する力によって装飾パネル装着部材６０２が装飾パネル２７０を押圧固定する。
＜固定部材＞
以下、固定部材６０１の構造、およびその装着構造につき、図５〜図８を参照して説明する。
【００４０】
図５（ａ）〜図５（ｄ）は、前面扉１０２に未装着状態の固定部材６０１の構造を示したもので、図５（ａ）は装飾パネル装着部材６０２に正対する側から固定部材６０１を示した正面図、図５（ｂ）は装飾パネル装着部材６０２に正対する側から固定部材６０１を示した斜視図、図５（ｃ）は装飾パネル装着部材６０２を固定する姿勢（図５（ａ））で固定部材６０１を示した上面図、図５（ｄ）は固定部材６０１を右方（図５（ａ）の右方）から示した側面図である。
【００４１】
固定部材６０１は、たとえば樹脂などの一体成形により構成され、その全体形状は図５（ａ）〜（ｄ）に示すような半円形状とする。図５（ａ）、（ｂ）に示すように、固定部材６０１の上部は、同様の半円形状を有する装飾パネル装着部材６０２の固定部材受け入れ部６０３に対して係合する半円形状の係合面６１０となっており、係合面６１０の２個所には、固定部材受け入れ部６０３に設けられた後述の凹部６０３ａ、６０３ａ（図６（ｂ）参照）と係合する凸部６１２、６１２が形成してある。
【００４２】
なお、固定部材６０１の係合面６１０に設けた凸部６１２と、後述の固定部材受け入れ部６０３に設けた凹部６０３ａの凹凸関係は一例であって、例えば係合面６１０に凹部が、固定部材受け入れ部６０３に凸部が設けられていてもよい。
【００４３】
これら、固定部材６０１の凸部６１２、６１２と、固定部材受け入れ部６０３に設けられた凹部６０３ａ、６０３ａは、固定部材（６０１）による装飾パネル装着部材６０２および装飾パネル２７０の固定状態が切り替え可能となる範囲において、固定部材６０１を一時的にその位置に駐止する駐止手段として機能する。
【００４４】
凸部６１２、６１２よりも内周側には、それぞれ凸部６１２、６１２の係合面６１０上での円周方向に沿った幅よりも長い円弧状の開口部６１１、６１１が形成してある。
【００４５】
これら開口部６１１、６１１は、固定部材６０１が後述のように回動され、凸部６１２、６１２が固定部材受け入れ部６０３の内周を摺動する時、固定部材受け入れ部６０３から受ける外力によって係合面６１０とほぼ同じ高さ（半径）まで固定部材６０１を変形させるために設けてある。
【００４６】
ただし、後述の固定部材６０１の移動時に凸部６１２、６１２を充分降伏させることができるよう、固定部材６０１を適度に弾性変形可能な材料から構成する場合には、必ずしも開口部は設けなくてもよい。
【００４７】
図５（ａ）、（ｂ）に示すように、固定部材６０１の半円形状の中心位置には、パイプ状の部位が一体成形されており、その中心には、後述のビス（あるいはボルト）６０１ａによって固定部材６０１を回動自在に軸支するための貫通孔６１８が形成してある。
【００４８】
また、図５（ａ）〜（ｃ）に示すように、固定部材６０１の一端には、固定部材６０１を変位させる操作力を受容するレバー形状の操作部６０９を一体形成してある。操作部６０９は、特に図５（ｃ）に示すように、装飾パネル装着部材６０２に面する正面側（図５（ｃ）の下方に相当）に突出しており、この部分は装飾パネル装着部材６０２の上下の縁部を係止する、装飾パネル装着部材６０２の係止部としても機能するようになっている。
【００４９】
さらに、図５（ａ）〜（ｄ）において、符号６１３、６１４、６１５、６１６、６１７で示すように、固定部材６０１の装飾パネル装着部材６０２に面する正面側、および背面側にはリブを一体形成してある。これらのうち、６１３、６１４、６１５ないし６１７は主に固定部材６０１を補強し、剛性を確保するためのものであるが、特に符号６１６で示すリブは、装飾パネル装着部材６０２を押圧固定する装飾パネル装着部材押圧部６１６として機能するもので、図５（ａ）、（ｂ）に示すように正面側に３条、形成してある。
【００５０】
この３条の装飾パネル装着部材押圧部６１６は、固定部材６０１の回動中心を中心とするほぼ６０°の範囲に形成されており、その外側の部分には形成されていない。
【００５１】
これに対して、固定部材６０１の背面側のリブ６１７は、固定部材６０１の回動中心を中心とするほぼ９０°の範囲に７本（図７（ｂ）、（ｃ）参照）形成されている。なお、本実施例では、背面側のリブ６１７は、固定部材６０１を補強し、剛性を確保するよう機能するものであるが、装飾パネル装着部材押圧部６１６と同様、背面側リブ６１７も３本構成とし、正面側／背面側で対称的な構造をとってもよい。この場合には操作部６０９等も正面側／背面側で対称形状とする。このように固定部材６０１を正面側／背面側で対称的な形状とすることにより、遊技機内部の空間配置上の問題等に起因して、固定部材６０１を裏返した姿勢で用いたいような場合でも同一の部品を共用できる。また、固定部材６０１を裏返した姿勢で用いる場合には操作方向（回転方向）が丁度逆になるが、この表裏の選択によって操作方式に適した回転方向（時計廻り／反時計廻り）を選択することもできる。
【００５２】
なお、各装飾パネル装着部材押圧部６１６およびリブ６１７の貫通孔６１８があるパイプ状部分に連なる部分は、図５（ｃ）、（ｄ）に示すように上記の高さｈよりも除々に高さが高くなり、パイプ状部分の端部に近いところまでなだらかなカーブを描いて連続するように形成してある。これらリブ（６１６、６１７）のカーブした部分は、装飾パネル装着部材押圧部６１６においては、装飾パネル装着部材６０２には対向せず、装飾パネル装着部材６０２の押圧機能を果さないが、このような構造によって固定部材６０１の剛性（強度）を保証し、後述する固定部材６０１の固定／半固定動作を正確かつ安定して行えるようになる。
【００５３】
また、リブ６１３〜６１５、６１７、リブ形状に形成された装飾パネル装着部材押圧部６１６の上部の角部分には固定部材６０１の回動をスムーズに行えるよう、面取りを施してある。この種の構成については、後に図１０の変形例を説明する時に改めて詳述する。
【００５４】
また、図５（ａ）〜（ｄ）において符号６２１で示した固定部材６０１のほぼ半円形の板状をなす基材部分、特に３条の装飾パネル装着部材押圧部６１６が形成されていない装飾パネル装着部材押圧部６１６よりも外側の部分は、装飾パネル装着部材押圧部６１６が装飾パネル装着部材６０２に対向しないように固定部材６０１を回動させた状態において、後述のように装飾パネル装着部材６０２を半固定（仮押え）する装飾パネル装着部材規制部として機能する。
【００５５】
さて、固定部材６０１の正面側に設けた３条の装飾パネル装着部材押圧部６１６が装飾パネル装着部材６０２に対面し、接触する位置に固定部材６０１が回動されている場合に、装飾パネル装着部材押圧部６１６で装飾パネル装着部材６０２および装飾パネル２７０を装飾パネル保持部６０５内の所定位置に押圧固定することができる（装飾パネル装着部材６０２および装飾パネル２７０が着脱不能な固定部材６０１の第１の位置）。
【００５６】
一方、３条の装飾パネル装着部材押圧部６１６が、装飾パネル装着部材６０２に対面せず接触しない状態に固定部材６０１が回動されている場合には、かわりに装飾パネル装着部材規制部６２１が装飾パネル装着部材６０２に対面することになる。これにより、図５（ｄ）に符号ｈで示す装飾パネル装着部材押圧部６１６の固定部材６０１の基材部分からの高さｈの分だけ装飾パネル装着部材６０２との間に隙間ができる。
【００５７】
このように、装飾パネル装着部材押圧部６１６は、装飾パネル装着部材規制部６２１より高さｈだけ突出して構成されているため、固定部材６０１が第１の位置（後述の図６の固定位置）から第２の位置（同じく図７（ａ）、（ｃ）の仮押え位置）へと移動した際に、その距離分だけは、装飾パネル装着部材６０２あるいはさらに装飾パネル２７０が前後方向に移動可能になる。ただし、この状態では、装飾パネル装着部材６０２は、後述のように装飾パネル装着部材規制部６２１によって係止されることになり、背面方向へは抜き出せず、また脱落することがない。一方、装飾パネル２７０は、後述する図９（あるいは図１０）に示すような構造により、装飾パネル装着部材６０２よりも奥側に組み込んであるにもかかわらず装飾パネル装着部材規制部６２１を取り外すことなく独立して着脱できる（装飾パネル２７０が着脱可能、かつ装飾パネル装着部材６０２が着脱不能な固定部材６０１の第２の位置）。
【００５８】
図６〜図８は、固定部材６０１の前面扉１０２への装着構造、および固定部材６０１の動作の様子を詳細に示したものである。
【００５９】
本実施例の固定部材６０１の前面扉１０２への装着構造は、固定部材６０１を第１の特定部材（装飾パネル２７０）とその支持部材（装飾パネル装着部材６０２）とを着脱不能とする第１の位置（固定位置）、または、第１の特定部材（装飾パネル２７０）を着脱可能としその支持部材（装飾パネル装着部材６０２）を着脱不能とする第２の位置（半固定位置）に駐止する駐止手段（後述の凸部６１２、凹部６０３ａ）を含む点に特徴がある。また、もちろん、固定部材６０１は、第１の特定部材（装飾パネル２７０）の支持部材（装飾パネル装着部材６０２）と対面／係合しない位置（開放位置）に移動することもでき、この位置では、第１の特定部材（装飾パネル２７０）とその支持部材（装飾パネル装着部材６０２）を前面扉１０２の背面方向に取り外すことができる。
【００６０】
図６（ａ）は、ビス（あるいはボルト）６０１ａによって前面扉１０２に回動自在に軸支され、装飾パネル装着部材６０２ないし装飾パネル２７０を固定する状態に回動させた固定部材６０１を右方（図３の右方）から示した側面図である。また、図６（ｂ）は、図３と同様の背面側から、同じく前面扉１０２に装着され、装飾パネル装着部材６０２ないし装飾パネル２７０を固定する状態に回動させた固定部材６０１を示した背面図である。
【００６１】
図６（ｂ）に示すように、固定部材６０１をこの回動状態とした場合には、固定部材６０１の係合面６１０は、ほぼその全周（ほぼ半円分）に渡り、ほぼ同じ、またはわずかに大きな半径で構成された固定部材受け入れ部６０３の内周と係合し、また、係合面６１０に設けた２つの凸部６１２、６１２が、固定部材受け入れ部６０３の内周の対応する位置に形成された凹部６０３ａ、６０３ａと係合する。なお、本実施例では、凹部６０３ａ、６０３ａおよび凸部６１２、６１２の固定部材６０１の回動軸を中心とした開き角は９０°としてある。
【００６２】
また、図６（ａ）、（ｂ）に示すように、固定部材６０１の操作部６０９が、装飾パネル装着部材６０２の縁部（図６では下縁）に係止する。後述のように、固定部材６０１は反時計廻りに回動することにより、図６（ａ）、（ｂ）の固定位置まで回動されるが、上記の凸部６１２、６１２と凹部６０３ａ、６０３ａの係合のみならず、操作部６０９が装飾パネル装着部材６０２の縁部（図６では下縁）に係止することによって、操作者に固定部材６０１が所期の固定位置（回転角度）に到達したこと（それ以上、反時計廻りに固定部材６０１を回動できない）が操作感覚を介して伝達される。
【００６３】
図６の固定状態では、固定部材６０１の装飾パネル装着部材６０２に対面する側に３条のリブとして形成された装飾パネル装着部材押圧部６１６（図５（ａ）、（ｂ））によって、装飾パネル装着部材６０２、そしてさらに装飾パネル２７０が遊技機の前面方向（図６（ａ）の右方）に向かって押圧固定される。
【００６４】
特に、固定部材６０１の装飾パネル装着部材６０２に対面する側に３条のリブとして形成された装飾パネル装着部材押圧部６１６（図５（ａ）、（ｂ））の形成位置は、例えば図６（ｂ）の中央の参照符号を付した３条のリブ６１７と同じであるが、固定部材６０１の両面に、このような複数条のリブ（６１６、６１７、あるいはさらに６１３〜６１５）を形成することにより、固定部材６０１が装飾パネル装着部材押圧部６１６を介して装飾パネル装着部材６０２を押圧固定する際の反作用力によって固定部材６０１が変形すること、そしてこれによって装飾パネル装着部材６０２、そしてさらに装飾パネル２７０の固定位置が狂うこと等が防止される。
【００６５】
すなわち、本実施例の固定部材６０１は、装飾パネル装着部材６０２を押圧固定する際の反作用力に抗して固定部材６０１の強度を補強する手段として複数条のリブを備えていること、また、これらの強度補強用のリブが固定部材６０１の両面に設けられること、また、固定部材６０１の装飾パネル装着部材６０２に面する側の強度補強用のリブが装飾パネル装着部材押圧部６１６を兼ねること、といった点に特徴がある。
【００６６】
また、固定部材６０１に設けられた操作部６０９は、固定部材６０１が固定位置にある場合には装飾パネル装着部材６０２に当接することによって、移動時に固定部材６０１を過度に回転させないよう（図の状態よりも反時計回りに回転しないように）固定部材の回転を規制するとともに、この当接によって操作部６０９を介して装飾パネル装着部材の縁部（上縁または下縁）の位置を規制する。
【００６７】
すなわち、本実施例の固定部材６０１は、回動することによって装飾パネル装着部材６０２、そしてさらに装飾パネル２７０を押圧固定する所定の固定位置に移動するが、固定部材６０１を回動させるための操作部６０９を有するとともに、この操作部６０９が所定の固定位置を超えて回動できないように固定部材６０１の回動を規制する手段として機能すること、また、この操作部６０９が装飾パネル装着部材６０２の縁部に当接して装飾パネル装着部材６０２の位置を規制する位置決め手段として機能する点に特徴がある。
【００６８】
なお、図６（ｂ）において、符号６２０で示すものは、前面扉１０２に植設された固定部材移動規制部である。この固定部材移動規制部６２０については、図８に関して詳述する。
【００６９】
次に、図７を用いて固定部材６０１の回動時、および、装飾パネル装着部材６０２ないし装飾パネル２７０を半固定（仮押さえ）する時の動作につき説明する。
【００７０】
図７（ａ）および図７（ｃ）は、前面扉１０２に回動自在に軸支され、装飾パネル装着部材６０２ないし装飾パネル２７０を半固定（仮押さえ）する状態に回動させた固定部材６０１を示したもので、図７（ａ）は、前面扉１０２に装着された固定部材６０１を左方（図３の左方）から示した側面図、図７（ｃ）は、前面扉１０２に装着された固定部材６０１を示した背面図である。また、図７（ｂ）は、固定部材６０１が図６（ａ）、（ｂ）の固定位置から図７（ａ）、（ｃ）の半固定（仮押さえ）位置まで回動する途中の状態を示した背面図である。
【００７１】
ここでは、まず、図７（ｂ）を参照して、図６（ａ）、（ｂ）の固定位置から図７（ａ）、（ｃ）の半固定（仮押さえ）位置まで回動する動作につき説明する。
【００７２】
図７（ｂ）は、図６（ａ）、（ｂ）の固定位置から、操作部６０９を用いて時計廻りに固定部材６０１を回動させる途中の状態を示している。図７（ｂ）のように、図６（ａ）、（ｂ）の固定位置から、操作部６０９を用いて時計廻りに固定部材６０１を回動させると、装飾パネル装着部材６０２の固定部材受け入れ部６０３の内周に設けられた凹部６０３ａ、６０３ａから固定部材６０１の係合面６１０に設けられた凸部６１２、６１２が外れる。この時、固定部材６０１には、凸部６１２、６１２よりも内周側の部位に開口部６１１、６１１を設けてあるので、凸部６１２、６１２と開口部６１１、６１１の間の部位が図示のように変形し、これによって、凸部６１２、６１２と固定部材受け入れ部６０３の内周面の接触による摩擦が抑制され、スムーズに固定部材６０１を回動させることができる。
【００７３】
また、本実施例では、図６〜図８に示すように固定部材６０１に設けられた凸部６１２と、固定部材受け入れ部６０３に設けられた凹部６０３aとが嵌合することにより固定部材の位置が駐止されるが、駐止の方法はこれに限定されず、例えば固定部材６０１及び固定部材受け入れ部６０３の所定の位置に互いに引き合う力を発生させる磁石を備えたり、凹凸の設ける位置を固定部材６０１の円周方向ではなく、固定部材６０１と装飾パネル装着部材６０２の互いに向き合う位置に設けても良い。つまり、所定の位置において、固定部材の移動を一時的に停止させる力を生じさせるものであれば良い。
【００７４】
本実施例では、図７（ｂ）の状態からさらに固定部材６０１を回動し、図６の状態から固定部材６０１を９０°、時計廻りに回転させると、図７（ａ）、（ｃ）の半固定（仮押さえ）位置に到達する。この半固定（仮押さえ）位置においては、図７（ｃ）に示すように図６（ｂ）の左側に示した凸部６１２が右側の凹部６０３ａと係合する。これが固定部材６０１の半固定（仮押さえ）位置である。
【００７５】
この半固定（仮押さえ）位置では、固定部材６０１の装飾パネル装着部材６０２側（前面側）に３条のリブとして形成された装飾パネル装着部材押圧部６１６（図５（ａ）、（ｂ））が装飾パネル装着部材６０２から当接しなくなるように、装飾パネル装着部材押圧部６１６の長さをとってある。従って、この半固定（仮押さえ）位置では、装飾パネル装着部材押圧部６１６に代り、装飾パネル装着部材押圧部６１６よりも図５（ｄ）の距離ｈだけ高さの低い固定部材６０１の基材部分、すなわち、装飾パネル装着部材規制部６２１が装飾パネル装着部材６０２に面することになる（図７（ａ））。
【００７６】
これにより、図７（ａ）に破線で示したように、装飾パネル装着部材６０２は、装飾パネル装着部材押圧部６１６の高さと装飾パネル装着部材規制部６２１（固定部材６０１の基材部分）の高さの差分である距離ｈだけ前後方向に移動可能となる。この前後方向の移動により、装飾パネル装着部材６０２の装飾パネル２７０に対する押圧固定を解除することができる。
【００７７】
すなわち、図７（ａ）、（ｃ）の半固定状態では、装飾パネル装着部材６０２ないし装飾パネル２７０は、前後方向に上記の距離ｈだけ移動することができ、図６の完全な固定状態からは外れることになり、例えば図９、あるいは図１０により後述するような手法で装飾パネル２７０を交換することができる。ただし、図７（ａ）、（ｃ）の半固定状態でも、依然として固定部材６０１と固定部材受け入れ部６０３の係合は完全には外れておらず、この状態でも、背面側に装飾パネル装着部材６０２や装飾パネル２７０が脱落してしまうことが防止される。
【００７８】
また、図７（ａ）、（ｃ）の半固定状態においても、上述のように前面扉１０２の装飾パネル装着部材受け入れ部６０６、６０６…と装飾パネル装着部材６０２のほぼ半円形の凸部６０４、６０４…が係合しており、この係合状態により、装飾パネル装着部材６０２は上下左右方向の移動が規制されおり、前後方向にしか移動することが出来ず、固定部材６０１がこの半固定状態にある限り、前後方向の移動も一定の距離範囲（上記の距離ｈ）内に規制され、装飾パネル装着部材６０２の取外しは出来ない。
【００７９】
次に、図８を用いて固定部材６０１を完全に開放位置まで回動させ、装飾パネル装着部材６０２ないし装飾パネル２７０を開放（アンロック）する時の動作につき説明する。
【００８０】
図８（ａ）および図８（ｂ）は、固定部材６０１を完全に開放位置まで回動させ、装飾パネル装着部材６０２ないし装飾パネル２７０を開放（アンロック）し、背面側に装飾パネル装着部材６０２ないし装飾パネル２７０を外せるようにした状態を示したもので、図８（ａ）は、前面扉１０２に装着された固定部材６０１を左方（図３の左方）から示した側面図、図８（ｂ）は、前面扉１０２に装着された固定部材６０１を示した背面図である。
【００８１】
図６の状態から固定部材６０１を１８０°、時計廻りに回転させると、固定部材６０１は図８（ａ）、（ｂ）の開放位置に到達する。この開放位置では、固定部材６０１の装飾パネル装着部材押圧部６１６はもちろん、固定部材６０１の基材部分（上述の装飾パネル装着部材規制部６２１）も含めて、装飾パネル装着部材６０２とは接触しなくなり、装飾パネル装着部材６０２の前後方向の移動を規制するものがなくなるため、装飾パネル装着部材６０２を背面方向に取り外すことが出来る。
【００８２】
また、図８（ａ）、（ｂ）の開放位置では、固定部材６０１の操作部６０９が前面扉１０２に植設された固定部材移動規制部６２０に当接し、それ以上、時計廻りに回動できないよう固定部材６０１を規制する。なお、本実施例では固定部材移動規制部６２０は円柱状の部材を前面扉１０２に植設して構成しているが、固定部材移動規制部６２０の構成はこれに限定されるものではなく、固定部材に備えられた操作部と接触することにより固定部材の移動を規制できるものであればどのような形状でもよい。
【００８３】
ここで、固定部材６０１を図７（ａ）、（ｃ）に示した半固定（仮押さえ）位置に移動させることで可能な装飾パネル２７０の着脱作業について説明する。
【００８４】
まず、図９（ａ）〜（ｃ）を用いて、装飾パネル２７０の着脱方法の１つを説明する。図９（ａ）〜（ｃ）は、固定部材６０１により固定、ないし半固定（仮押さえ）される装飾パネル２７０と、その周囲の構造を示した断面図で、ここでは、固定部材６０１の形状は装飾パネル装着部材押圧部６１６、固定部材６０１の基材部分である装飾パネル装着部材規制部６２１を含め、ごく模式的に示してある。
【００８５】
図９（ａ）のように固定部材６０１の形状は装飾パネル装着部材押圧部６１６を装飾パネル装着部材６０２と当接させた固定位置から、固定部材６０１を図７（ａ）、（ｃ）に示した半固定（仮押さえ）位置に回動させると、図９（ｂ）、あるいは図９（ｃ）に示すように、固定位置（図６）では装飾パネル装着部材６０２を介して装飾パネル装着部材押圧部６１６から装飾パネル２７０に与えられていた押圧力が解除され、装飾パネル装着部材規制部６２１と装飾パネル装着部材６０２が当接させた半固定（仮押さえ）位置となるので、装着パネル装着部材６０２が前述の高さの差ｈだけ前後方向に移動可能となり、それに伴い装飾パネル２７０も移動可能となる。そして、図９（ｃ）に示すように、固定部材６０１が固定位置から半固定（仮押さえ）位置に移動したことにより前後方向の押圧力が解除されるので、パネル保持部６０５から装飾パネル２７０を抜き出すことができる。すなわち、図９（ｃ）では、装飾パネル２７０をスロットマシン前面側に倒しこむことによって、レール６０７に接触することなく装飾パネル２７０を抜き出すことが可能となる。ただし、この着脱方法を可能とするには、レール６０７の高さと、固定部材６０１を半固定位置に移動させた時に生じる前後方向に装飾パネル２７０が移動できる距離（ｈ）などを適宜選択しておき、装飾パネル２７０を図示のように倒しこめるよう各部の寸法を決定しておく必要があるのはいうまでもない。新たな装飾パネル２７０を装着する際には前述の手順と逆の手順を行うことで装飾パネル２７０の取り付けを行うことが可能となる。
【００８６】
また、装飾パネル２７０は図１０に示すようなスライド式の着脱方法によっても着脱することができる。
【００８７】
前述のように、固定部材６０１の位置を図７（ａ）、（ｃ）に示した半固定（仮押さえ）位置に移動させると、図６の固定位置では装飾パネル装着部材６０２を介して装飾パネル装着部材押圧部６１６から装飾パネル２７０に与えられている押圧力が解除されるため、装飾パネル２７０は、装飾パネル保持部６０５上で例えば左右方向であれば自由に動けるようになる（ただし前後方向には上述の距離ｈだけのガタが生じ、この範囲内だけしか装飾パネル２７０は動けない）。
【００８８】
そして、本実施例では、装飾パネル保持部６０５の上下に２本のレール６０７、６０７を形成してあるので、図１０に示すようにレール６０７、６０７に沿って装飾パネル２７０を右（あるいは左）にスライドさせて取り外すことができる。図１０は、装飾パネル２７０を取り外し、あるいは交換する際の前面扉１０２の状態を示した斜視図である。
【００８９】
すなわち、この構成は、固定部材６０１の半固定位置（第２の位置）において、固定部材６０１の固定位置（第１の位置）において印加されていた押圧力の方向とは異なる方向へ装飾パネル２７０（第１の部材）を挿脱可能な開口部を遊技機（特に扉体たる前面扉１０２）に形成したものといえる。
【００９０】
すなわち、図１０に示す構造では、装飾パネル保持部６０５の左右端部（少なくとも右または左の端部。図１０においては右端部）においては、レール６０７、６０７には左右方向への装飾パネル２７０（第１の部材）の移動を妨げるものがなく、開放されており、この部分がパネル交換用の開口となっている。図１に示したサイドランプ１５１、例えばそのサイドレンズ部分は、図１０では取り外されているが、このように、サイドランプ１５１の部分の部材には、それが組み付けられた状態においてレール６０７、６０７の左ないし右端部のパネル交換用の開口を塞ぐ役目も兼ねさせることができる（もちろん、他の部材、例えば専用の部材を設けてレール６０７、６０７の左ないし右端部のパネル交換用の開口を閉成するようにしてもよい）。
【００９１】
なお、図１０の構成では、前面扉１０２の左右に備えられるサイドランプ１５１（その着脱には、通常、ネジ止めなど、比較的大がかりな操作が必要であり、前面扉１０２を開放して作業を行う必要がある）によって、普段の組み立て状態においては開口が隠される構成としているため、不法な装飾パネルの着脱や、開口を利用し、遊技機内部に設けられたその他遊技装置へアクセスするような不正行為を防止できる利点もある。
【００９２】
以上のような構造により、サイドランプ１５１部分を取り外し、固定部材６０１の位置を図７（ａ）、（ｃ）に示した半固定（仮押さえ）位置に移動させれば、レール６０７、６０７の左ないし右端部のパネル交換用の開口から装飾パネル２７０をスライドさせて抜き出すことができる。この時、固定部材６０１が図７（ａ）、（ｃ）に示した半固定（仮押さえ）位置にあれば、前述のように、装飾パネル２７０はパネルはサイドランプ１５１の取り付け部や、仮押さえされている装飾パネル装着部材と装飾パネル保持部とに挟持されているため、各部材が装飾パネル２７０をガイドした安定した状態で取り外すことが可能である。
【００９３】
例えば、上述のように固定部材６０１の半固定（仮押さえ）位置では、装飾パネル装着部材６０２や装飾パネル２７０の背面側への脱落が防止されるため、作業者は安心して前面扉１０２の前方から装飾パネル２７０の取り外し操作に集中することができる。
【００９４】
図１０のような構造により、装飾パネル２７０を交換する際には、例えば新しい装飾パネルをレール６０７、６０７の左ないし右端部の開放部位（パネル挿脱用の開口部）挿入することにより、古い装飾パネルを押し出すことで、新しい装飾パネルを装飾パネル保持部６０５に挿入しつつ、古い装飾パネルを装飾パネル保持部６０５から押し出すようにすると作業に手間がかからず、効率良く交換作業を行うことが出来る。
【００９５】
固定部材６０１の位置を図７（ａ）、（ｃ）に示した半固定（仮押さえ）位置にある場合は、装飾パネル装着部材６０２は上述のように前面扉１０２の装飾パネル装着部材受け入れ部６０６、６０６…と装飾パネル装着部材６０２のほぼ半円形の凸部６０４、６０４…の係合により、上下左右方向の移動が規制されているので、装飾パネル装着部材押圧部６１６のの高さ（ｈ）と同じ距離だけ前後にのみ移動することができる。これにより、固定部材６０１を半固定（仮押さえ）位置に回動させれば、他の部材の取外しを行わずに装飾パネルのみを簡単に交換することが可能となる。
【００９６】
また、上述のように固定部材６０１を半固定（仮押さえ）位置に移動し、装飾パネル２７０の交換を行うために装飾パネル装着部材６０２を装飾パネル装着部材規制部と接するまで背面方向に移動させた後、固定部材６０１を反時計回りに回転させることで、装飾パネル装着部材押圧部６１６の側面が装飾パネル装着部材６０２の底面（又は天面）に接触する。これにより、装着パネル装着部材６０２の前後方向の移動を規制することが可能となり、装飾パネル２７０の交換作業を妨げることがない。この場合、固定部材６０１に装飾パネル装着部材押圧部６１６を設ける際に、装飾パネル装着部材６０２の形状に対応して切り欠きを設ける等しても良い。
＜固定部材の変形例＞
以下、固定部材６０１の構成の変形例につき説明する。
【００９７】
図１１（ａ）〜（ｄ）は、上述の固定部材６０１の要部の構造のみを模式的に示した模式図で、上述の固定部材６０１の各部位と機能的に同様の部位には、上記と同じ参照符号を付してある。
【００９８】
図１１（ａ）〜（ｄ）に示した固定部材６０１の各機能的部位は、固定部材６０１の回動操作を行うための操作部６０９、固定部材６０１の板状の基材部分である装飾パネル装着部材規制部６２１、固定部材６０１の板状の基材部分にリブとして形成された装飾パネル装着部材押圧部６１６である。
【００９９】
図１１（ａ）〜（ｄ）は、それぞれ異なる装飾パネル装着部材押圧部６１６の実施例を示しており、まず図１１（ａ）の装飾パネル装着部材押圧部６１６は、単純な矩形断面により構成されている。このような断面構造でも、上述した固定位置〜半固定（仮押さえ）位置〜開放位置の間で固定部材６０１を移動させることは基本的には問題を生じないし。また、回動操作に多少のスムーズさを欠くことがあったとしても、固定位置〜半固定（仮押さえ）位置の間で固定部材６０１が切り替わる時に、かえって装飾パネル装着部材押圧部６１６と装飾パネル装着部材規制部６２１の間で装飾パネル装着部材６０２を押圧／規制する面が切り替ることを操作者によりダイレクトかつ明瞭な操作感覚として伝達することができる可能性がある。
【０１００】
図１１（ｂ）は、逆に、固定部材６０１の装飾パネル装着部材押圧部６１６と装飾パネル装着部材規制部６２１の間を斜面（傾斜面）６１６ａにより構成する、すなわち、装飾パネル装着部材押圧部６１６を上端の辺の長さのほうが短い台形断面で構成した例である。この構成によれば、回動操作をよりスムーズに行える、特に、固定位置〜半固定（仮押さえ）位置の間で固定部材６０１が切り替わる時に、装飾パネル装着部材押圧部６１６と装飾パネル装着部材規制部６２１の間で、装飾パネル装着部材６０２を押圧／規制する面の高さが除々に切り替るため、操作者により滑らかな操作感覚を提供できる可能性がある。
【０１０１】
図１１（ｃ）は、装飾パネル装着部材押圧部６１６の断面を図１１（ａ）と同様の矩形断面とするが、固定部材６０１の回動をスムーズに行なえるよう、その角部（上縁部）に面取り６１６ｂを設けたものである。この構成によれば、図１１（ａ）の構成と同様、固定位置〜半固定（仮押さえ）位置の間で固定部材６０１が切り替わる時に、装飾パネル装着部材押圧部６１６と装飾パネル装着部材規制部６２１の間で装飾パネル装着部材６０２を押圧／規制する面が切り替ることを操作者によりダイレクトかつ明瞭な操作感覚として伝達することができるとともに、面取り６１６ｂによって装飾パネル装着部材６０２との間の抵抗が減り、回動操作をよりスムーズに行える可能性がある。
【０１０２】
図１１（ｄ）の構成は、図１１（ｂ）の斜面６１６ａで構成されている部分を、図１１（ｂ）のような直線ではなく、任意の形状の曲線断面の曲面６１６ｃとしたものである。この構成によれば、曲面６１６ｃのカーブを適宜設計しておくことによって、固定位置〜半固定（仮押さえ）位置の間で固定部材６０１が切り替わる時に、装飾パネル装着部材押圧部６１６と装飾パネル装着部材規制部６２１の間で装飾パネル装着部材６０２を押圧／規制する面が切り替る時の操作感覚を曲面６１６ｃのカーブに応じた種々の操作感覚に調節することができる。たとえば、曲面６１６ｃのカーブを適宜設計しておくことによって、回動操作時のスムーズさを任意に選択でき、また、装飾パネル装着部材押圧部６１６と装飾パネル装着部材規制部６２１の間で装飾パネル装着部材６０２を押圧／規制する面が切り替る時の、その初期と後期の操作感覚を異なるものに制御することもできる可能性がある。
【０１０３】
また、以上では、固定部材６０１が回転式である構造を例示したが、固定部材６０１が固定位置〜半固定（仮押さえ）位置〜開放位置の間で移動する形態は回転（回動）である必要はなく、揺動式や、例えば図１１（ｅ）〜（ｊ）に示すような固定部材６０１が案内部材に沿ってスライドし、固定位置〜半固定（仮押さえ）位置〜開放位置の間で直線的に移動する構成を用いることもできる。
【０１０４】
図１１（ｅ）〜（ｊ）は、このようなスライド式の固定部材６０１の構造を示しており、図１１（ｅ）、（ｇ）、（ｉ）はスライド式の固定部材６０１の上面図、図１１（ｆ）、（ｈ）、（ｊ）はスライド式の固定部材６０１の背面図である。特に、図１１（ｅ）、（ｇ）、（ｉ）は固定部材６０１と装飾パネル装着部材６０２を前面扉１０２の上方（あるいは下方）から、図１１（ｆ）、（ｈ）、（ｊ）は固定部材６０１と装飾パネル装着部材６０２を前面扉１０２の後方から示している。ここでも、上述の固定部材６０１の各部位と機能的に同様の部位には、上記と同じ参照符号を付してある。
【０１０５】
図１１（ｅ）〜（ｊ）の固定部材６０１は、ほぼ直方体の基材部分の先端部を切り欠いて、２つの押圧／規制面、すなわち、装飾パネル装着部材押圧部６１６と装飾パネル装着部材規制部６２１を形成したものである。装飾パネル装着部材押圧部６１６と装飾パネル装着部材規制部６２１の高さの差は、ここでも前述の高さｈと同じにとってある（図１１（ｉ））。
【０１０６】
固定部材６０１は、プラスチックや金属から例えば一体形成によって構成され、その後部（背面）には、操作部６０９を設けてある。図示のように、操作部６０９の後部（背面）の操作面には、電気部品のスライドスイッチなどにあるような滑り止めのようなぎざぎざを付けておくと、確実に操作部６０９のスライド操作を行うことができる。
【０１０７】
固定部材６０１は、装飾パネル装着部材６０２を取り囲む前面扉１０２（明瞭に図示していないが、装飾パネル装着部材６０２の左側部分）等に形成された例えばトンネル状の案内部材６３０にガイドされ、図の左右方向に摺動自在となっている。操作部６０９は後述の固定位置、半固定（仮押さえ）位置、および開放位置の間で、案内部材６３０には規制されずに何らかの方法で移動できるようにしておく。例えば、ここでは固定部材６０１の操作部６０９の設けられていない実質部分を図示よりも（図の左方に）長く形成しておき、この部分が、後述の固定位置、半固定（仮押さえ）位置、および開放位置のいずれにおいてもトンネル状の案内部材６３０にガイドされるように構成することが考えられる。
【０１０８】
案内部材６３０の、上下の内面には、図１１（ｆ）、（ｈ）、（ｊ）に示すようにそれぞれ３つの凹部６３２、６３２、６３２が形成してある。これら凹部６３２、６３２、６３２は、右より、固定部材６０１の固定位置、半固定（仮押さえ）位置、および開放位置をそれぞれ決定するものである。
【０１０９】
上下の凹部６３２、６３２には、図１１（ｆ）、（ｈ）、（ｊ）にそれぞれ示すように固定部材６０１の上下面に設けられた凸部６３１、６３１が係合できるようになっている。
【０１１０】
凸部６３１、６３１は、固定部材６０１がプラスチックなどから成る場合には単なるリブとして形成しても良いが、あるいは凸部６３１、６３１が固定部材６０１の外部に向かって常時突出するような付勢力を与えるスプリング等の付勢手段を固定部材６０１に内装しておいても良い。あるいは、上述の回転式の固定部材６０１と同様、凸部６３１、６３１よりも内側の部分に適宜開口部などを形成しておき、これによって凸部６３１、６３１の周囲が変形できるようにしておく構成でもよい。このような構成により、固定部材６０１を案内部材６３０内でスムーズにスライドさせることができる。
【０１１１】
図１１（ｅ）、（ｆ）は装飾パネル装着部材６０２の固定状態を、図１１（ｇ）、（ｈ）は装飾パネル装着部材６０２の半固定状態を、図１１（ｉ）、（ｊ）は装飾パネル装着部材６０２の開放状態をそれぞれ示している。これら図１１（ｅ）〜（ｊ）においても、固定部材６０１が装飾パネル装着部材６０２（あるいはさらに装飾パネル２７０）の装着状態を固定状態／半固定（仮押さえ）状態／開放状態に制御する機能は上記実施例と同等である。
【０１１２】
まず、図１１（ｅ）、（ｆ）のように固定部材６０１を最も右方の固定位置に移動し、案内部材６３０の最も右の凹部６３２、６３２と固定部材６０１の凸部６３１、６３１を係合させた場合、固定部材６０１はその下面と実質同一の装飾パネル装着部材押圧部６１６により装飾パネル装着部材６０２を前方（図１１（ｅ）の下方に相当）へ押圧し、固定する。この状態において、装飾パネル装着部材６０２を介して不図示の装飾パネル２７０が装飾パネル保持部６０５（不図示）内の所定位置に押圧固定される点は前述の回転式の固定部材６０１を用いた構成と全く同様である。
【０１１３】
また、図１１（ｇ）、（ｈ）のように固定部材６０１を中央の半固定位置に移動し、案内部材６３０の中央の凹部６３２、６３２と固定部材６０１の凸部６３１、６３１を係合させると、固定部材６０１はその下面と実質同一の装飾パネル装着部材押圧部６１６が装飾パネル装着部材６０２に対面しなくなる。この状態が半固定（仮押さえ）位置である。この状態では、装飾パネル装着部材６０２および不図示の装飾パネル２７０が装飾パネル装着部材押圧部６１６と装飾パネル装着部材規制部６２１の高さの差（ｈ）だけ、前後（図１１（ｇ）の上下）に移動可能な空間が生じる。なお、図１１（ｇ）では、装飾パネル装着部材規制部６２１と装飾パネル装着部材６０２の空隙を小さく図示してあるが、実際には、図１１（ｉ）に示した高さｈの範囲で移動することができる。この半固定（仮押さえ）状態も、前述の回転式の固定部材６０１を用いた構成と全く同様である。この半固定（仮押さえ）状態では、前述の図９に示したような手法によって、前面扉１０２の前方から装飾パネル２７０を取り外したり、交換したりすることができる。
【０１１４】
また、図１１（ｉ）、（ｊ）のように固定部材６０１を左方の開放位置に移動し、案内部材６３０の最も左の凹部６３２、６３２と固定部材６０１の凸部６３１、６３１を係合させると、固定部材６０１の装飾パネル装着部材押圧部６１６、および装飾パネル装着部材規制部６２１はいずれも装飾パネル装着部材６０２に対面しなくなる。この状態が開放位置である。この状態では、固定部材６０１が装飾パネル装着部材６０２の背面に位置しなくなるため、装飾パネル装着部材６０２および不図示の装飾パネル２７０は、後方（図１１（ｉ）の上方）に向かって取り外すことができる。この開放状態も、前述の回転式の固定部材６０１を用いた構成と全く同様である。
【０１１５】
以上に示したように、直線的に固定部材６０１が移動するような構成によっても、少なくとも固定位置と半固定位置の、２つの異なる位置で装飾パネル装着部材６０２を押圧固定、ないし規制する装飾パネル装着部材押圧部６１６と装飾パネル装着部材規制部６２１を形成しておくことによって、上述の回転式の固定部材６０１と何ら変らない動作が可能である。
【０１１６】
以上に説明したように、本実施例によれば、一つの固定部材６０１の移動により複数の部材（装飾パネル装着部材６０２および装飾パネル２７０）の固定状態を切り替えつつ、さらに固定部材６０１による固定状態が切り替え可能となる範囲においては固定部材がその位置において一時的に固定（駐止）される構成としたことで、リサイクル等による装飾パネル２７０などの交換の際に、特別な工具等を用いずに交換作業が可能で、初めて交換作業をする作業員でも、複数の固定状態のうち任意の固定状態を選択することができ、作業効率の向上を望むことが出来る、という優れた効果がある。
【０１１７】
なお、上記実施例では、固定部材６０１は、装飾パネル装着部材６０２および装飾パネル２７０が着脱不能な第１の位置、装飾パネル２７０が着脱可能、かつ装飾パネル装着部材６０２が着脱不能な第２の位置において、装飾パネル装着部材６０２に対する押圧力を印加するか、あるいは、装飾パネル装着部材６０２に対する前後の位置規制のみを行なうかを選択できるようにした。より抽象的に言えば、固定部材６０１は、装飾パネル装着部材６０２に対する少なくとも２つの規制状態を得られるように構成されている、とも言える。固定部材６０１がこのように異なる装飾パネル装着部材６０２の位置につき異なる制御状態を有する複数の制御面を有する場合には、例えば装飾パネル装着部材６０２や装飾パネル２７０などの部材の厚みが変更された場合にも、固定部材６０１の設計変更を行うことなく、旧部品の固定部材６０１を代用可能となる余地がある。
【０１１８】
また、上記実施例の構成によれば、締結部材としての固定部材６０１を外さないでも複数の部材（装飾パネル装着部材６０２や装飾パネル２７０）の全部取り付け、他の部材を固定しつつも、特定の選択されたもののみを外したり、全て取外したりする、といった着脱操作の自由度が高くなる利点がある。
【０１１９】
また、従来は、装飾パネル装着部材６０２に基板が取り付けられていたため、装飾パネル２７０の交換の際には一度基板からハーネス等を抜いた上で締結部材を取外さなければ装飾パネル２７０を交換できなかったが、上記実施例の構成であれば、固定部材６０１を第２の位置に回転させれば、装飾パネル装着部材６０２を取り外さずに装飾パネル２７０を交換することができ、市場に出回った遊技機等を回収し、その機種特有の部位（パネル等の固有機種名が印字された部位）のみを交換し、その他の部位を再利用する場合等に非常に適している。
＜種々の変形例＞
上記実施例では、装飾パネル装着部材６０２は前面扉１０２の装飾パネル装着部材受け入れ部６０６、６０６…と装飾パネル装着部材６０２のほぼ半円形の凸部６０４、６０４…の係合により、上下左右方向の移動が規制されるようにしている。これにより固定部材６０１が半固定位置（第２の位置）にある際には、前後方向に動かしたとしても固定部材の規制部が規制しているため取り外すことが出来ないよう装飾パネル装着部材６０２を規制できる。ただし、このように装飾パネル装着部材６０２を規制する構成は、上記のような装飾パネル装着部材受け入れ部６０６と凸部６０４による構成に限定されるものではなく、装飾パネル装着部材６０２の移動方向を前後方向のみに規制できるようなものであればどのようなものであってもよい。例えば、装飾パネル保持部６０５の内部形状と装飾パネル装着部材６０２の外形を適当な凹凸を含む形状で整合していれば、両者の嵌合により、前後方向の押圧力は解除しながら装飾パネル装着部材６０２に対する上下左右方向の移動規制は行う、といった制御は可能である。
【０１２０】
装飾パネル装着部材６０２および装飾パネル２７０が着脱不能な固定部材６０１の第１の位置、装飾パネル２７０が着脱可能、かつ装飾パネル装着部材６０２が着脱不能な固定部材６０１の第２の位置、あるいは装飾パネル装着部材６０２および装飾パネル２７０が着脱可能な第３の位置（開放位置）は、文字などによって適当な場所に表示することができる。例えば、このような表示は、固定部材６０１の回転範囲の周囲（装飾パネル装着部材６０２や前面扉１０２の背面）に刻印やステッカの貼付などによって付すことができる。例えば、固定部材６０１の一部（例えば背面）にダイヤル部材の指示針として見立てることができるような刻みを入れ、この刻みが、固定部材６０１の回転範囲の周囲（装飾パネル装着部材６０２や前面扉１０２の背面）の文字表示、例えば「固定」、「仮押さえ」、「開放」といった文字列を固定部材６０１の各駐止位置で指すように構成することが考えられる。
【０１２１】
上記実施例では、固定部材６０１の駐止手段は凸部６１２と、この凸部６１２が係合する凹部６０３ａから構成したが、駐止手段には磁石の磁力などを利用することも考えられ、駐止手段には任意の構成を採用してよく、固定部材６０１の駐止手段は例えばや部材同士の係止等の一定以上の力を加えることで固定が解除可能であればされるものであればどのように構成されていてもよい。
＜作用効果＞
以上に示した実施例の構成をより抽象的にとらえ、その効果を要約して示すと次の通りとなる。上記実施例中の部材との対応は主にかっこ書きで示す。
【０１２２】
固定部材（６０１）を第１の特定部材（装飾パネル２７０）とその支持部材（装飾パネル装着部材６０２）とを着脱不能とする第１の位置（固定位置）、または、第１の特定部材（装飾パネル２７０）を着脱可能としその支持部材（装飾パネル装着部材６０２）を着脱不能とする第２の位置（半固定位置）に駐止する駐止手段（後述の凸部６１２、凹部６０３ａ）を含む構成を採用したことで、１の固定部材（６０１）の移動によって複数の部材（装飾パネル２７０（第１の特定部材）、装飾パネル装着部材６０２（第１の特定部材の支持部材））の固定状態を切り替え可能に構成しつつ、固定部材によって固定された複数の部材のうち一つのみを交換する際に、その他の部材を取り外さなくても良いため交換作業が非常に楽になる。また、さらに固定部材（６０１）による固定状態が切り替え可能となる範囲においては固定部材を一時的にその位置に駐止する駐止手段（凸部６１２、凹部６０３ａ）を備えたことで、部材の取り付けや交換の際に作業に慣れていない作業者であっても、固定部材を複数の部材の固定状態を切り替える位置に簡単に固定できるため、作業ミス等が少なくなる、などの効果を期待できることがある。
【０１２３】
固定部材に備えられた装飾パネル装着部材押圧部（６１６）による押圧力によって装飾パネル装着部材（６０２）を押圧固定する装飾パネル（２７０）を押圧固定でき、装飾パネル装着部材規制部（６２１）により装飾パネルのみを交換可能とすることで、機種変更等の際に、例えば固有名称が記されているため複数機種での流用が出来ない装飾パネルのみを交換可能になり作業効率が向上し、且つ複数機種での流用が可能な部材を増やすことで１台にかかるコストを削減できることがある。
【０１２４】
装飾パネル装着部材押圧部（６１６）を装飾パネル装着部材規制部（６２１）よりも突出させる構成としたことで、固定部材が第２の位置にある際に、装飾パネル装着部材が装飾パネル装着部材押圧部（６１６）の高さ（ｈ：装飾パネル装着部材規制部（６２１）との高さの差）と同じ距離を移動可能となり、装飾パネルの押圧固定が解除され、装飾パネル装着部材を取り外さずにパネルの交換が可能となるため、作業効率が向上することがある。
【０１２５】
固定部材（６０１）に備えられた凸部（６１２）と、装飾パネル装着部材（６０２）に備えられた凹部（６０３ａ）との嵌合により、固定部材によって装飾パネル装着部材押圧部（６１６）による押圧固定、または装飾パネル装着部材規制部（６２１）による位置規制がそれぞれ行われる異なる固定／規制状態を得られる各々の位置に固定部材を駐止する構成を採用しているので、作業者は経験に頼らずに複数の部材の固定状態を確実に切り替えることが出来、固定部材の固定位置を間違えることによって生じるパネル破損等を減らすことができることがある。
【０１２６】
固定部材（６０１）に操作部（６０９）を設けることで作業者の固定部材の移動をしやすくし、且つ操作部が他の部材と接触し固定部材の移動を規制することで、作業者が気付かずに固定部材に必要以上の力を加え、固定部材が本来移動可能な領域から外れてしまうことを防止することができる。また、第１の特定部材（装飾パネル２７０）とその支持部材（装飾パネル装着部材６０２）とを着脱不能とする第１の位置（固定位置）において、支持部材（装飾パネル装着部材６０２）に当接させ、これを上下方向に支持することで、装飾パネル装着部材のガタ付きを防止することが出来ることがある。
【０１２７】
固定部材（６０１）に設けられた凸部（６１２）の近傍に固定部材の移動方向に沿って開口部（６１１）を備えることで、固定部材の移動の際に凸部が装飾パネル装着部材の壁面に接触すると、凸部近傍の部材が変形、降伏し、凸部が固定部材（６０１）の中心方向へと引っ込むため、固定部材の移動の際に凸部が装飾パネル装着部材の内壁面と接触することで生じる摩擦力を軽減することができ、固定部材の消耗を防ぎつつ、移動をスムーズにすることが出来ることがある。
【０１２８】
装飾パネル装着部材（６０２）に固定部材（６０１）の形状に対応する固定部材受け入れ部（６０６）を備えたことにより、占有するスペースが小さくなるため、そのスペースを他の装置の設置に使用可能となることがある。
【０１２９】
装飾パネル装着部材押圧部（６１６）と、装飾パネル装着部材規制部（６２１）との間の部位を傾斜や面取り（６１６ａ、６１６ｂ）、曲面（６１６ｃ）等から構成することにより、例えば固定部材を上記第２の位置から上記第１の位置へと移動させた際に斜面によって装飾パネル装着部材に徐々に押圧をかけるような制御が可能となり、かつ段差によって固定部材の移動を規制されることなる固定部材の位置変更をスムーズにすることが出来ることがある。
【０１３０】
固定部材（６０１）を上記第２の位置において駐止すると、装飾パネル装着部材（６０２）の仮押さえ（半固定）位置となり、装飾パネル（２７０）への押圧が解除され、装飾パネル保持部の近傍に開口部を設けるなどしておくことにより装飾パネルが挿脱可能となり、装飾パネルの交換作業が非常に簡単に行えるようになることがある。
【産業上の利用可能性】
【０１３１】
以上では、遊技機の実施例としてスロットマシンを例示したが、本発明はその他にも、パチンコ機、カジノマシンやアーケードゲーム機等の種々の遊技機、特に、装飾表示用のパネルなどを着脱する必要がある遊技機において実施できる。
【符号の説明】
【０１３２】
１００  スロットマシン
１０１  本体
１０２  前面扉
１１０  左リール
１１１  中リール
１１２  右リール
１１３  図柄表示窓
１１４  入賞ライン
１２０  入賞ライン表示ランプ
１２１  スタートランプ
１２３  告知ランプ
１２４  メダル投入ランプ
１２５  払出枚数表示器
１２６  遊技回数表示器
１２７  貯留枚数表示器
１２８  リールパネルランプ
１３０  メダル投入ボタン
１３２  精算ボタン
１３３  メダル返却ボタン
１３４  メダル投入口
１３５  スタートレバー
１３７〜１３９  ストップボタン
１４０  ドアキー孔
１５０  上部ランプ
１５１  サイドランプ
１５２  中央ランプ
１５３  腰部ランプ
１５４  下部ランプ
１５５  メダル払出口
１５６  メダル受皿
１６０  音孔
１６２  タイトルパネル
１６３  扉
１７０  メダルセレクタ
１９０  演出装置
２７０  装飾パネル
２７２  上部スピーカ
２７４  演出制御基板収納ケース
２９０  演出装置
６０１  固定部材
６０２  装飾パネル装着部材
６０３  固定部材受け入れ部
６０４、６０４  凸部
６０５  装飾パネル保持部
６０６  装飾パネル装着部材受け入れ部
６０７  レール
６０８  基板
６０９  操作部
６１０  係合面
６１１  開口部
６１２  凸部
６１３〜６１５、６１７  リブ
６１６  装飾パネル装着部材押圧部
６１８  貫通孔
６２０  固定部材移動規制部
６２１  装飾パネル装着部材規制部
６３０  案内部材
６３１  凸部
６３２  凹部
【図１】
2010167122.tif 000003
【図２】
2010167122.tif 000004
【図３】
2010167122.tif 000005
【図４】
2010167122.tif 000006
【図５】
2010167122.tif 000007
【図６】
2010167122.tif 000008
【図７】
2010167122.tif 000009
【図８】
2010167122.tif 000010
【図９】
2010167122.tif 000011
【図１０】
2010167122.tif 000012
【図１１】
2010167122.tif 000013